(57)【要約】　　　（修正有）【課題】簡単な構成によりコネクタボックスを昇降することができるコネクタボックスの支持装置を提供する。【解決手段】地中に形成され上方は開放されてなるハンドホールＨの壁面に固定され、一方の右側板部５に面対向してなる他方の右側板部と、他方の左側板部４から突出し縦ガイド部１１内に臨んでなる左突出部２１ａと、上記他方の右側板部から突出し上記縦ガイド部１１内に臨んでなる右突出部と、を有する昇降部材３と、を備え、この昇降部材３は、上記左突出部２１ａ及び右突出部が、上記縦ガイド部１１にガイドされながら上昇し、横ガイド部１２を通過し係止部１３に係止されて支持されるよう構成されてなる。【選択図】　　　　図３
2004024660.tif 000002
【特許請求の範囲】
【請求項１】
地中に形成され上方は開放されてなるハンドホールの壁面に固定され、一方の左側板部及びこの一方の左側板部に面対向してなる一方の右側板部を有してなる固定部材と、
この固定部材を構成する上記一方の左側板部と一方の右側板部との双方に形成され、該一方の左側板部と一方の右側板部との下端側から上端側に亘ってそれぞれ形成された縦ガイド部と、この縦ガイド部と連続し該縦ガイド部の上端から横方向に形成されてなる横ガイド部と、この横ガイド部に連続し該横ガイド部の短部からやや下方に形成されてなる係止部と、
コネクタボックスが固定されるコネクタ支持部と、このコネクタ支持部から下方に形成されてなり上記一方の左側板部に面対向してなる他方の左側板部と、上記一方の右側板部に面対向してなる他方の右側板部と、上記他方の左側板部から突出し上記縦ガイド部内に臨んでなる左突出部と、上記他方の右側板部から突出し上記縦ガイド部内に臨んでなる右突出部と、を有する昇降部材と、を備え、
この昇降部材は、上記左突出部及び右突出部が、上記縦ガイド部にガイドされながら上昇し、上記横ガイド部を通過し上記係止部に係止されて支持されるよう構成されてなることを特徴とするコネクタボックスの支持装置。
【請求項２】
前記一方の左側板部と一方の右側板部とにそれぞれ形成された縦ガイド部の上端側には、下端側から上端側にかけて除々に前記固定部材が固定された壁面から離間する方向に湾曲し又は傾斜してなる湾曲部が形成されてなることを特徴とする請求項１記載のコネクタボックスの支持装置。
【請求項３】
前記固定部材の正面には、左側が前記一方の左側板部に連続し右側が前記一方の右側板部に連続してなる正面側板部が形成され、この正面側板部の上端は、少なくとも、前記湾曲部の下端よりも下方に位置してなるとともに、前記昇降部材が最も上昇された状態における下端よりも上方に位置してなることを特徴とする請求項２記載のコネクタボックスの支持装置。
【請求項４】
前記他方の左側板部には、前記縦ガイド部内に臨む第１の左突出部と、この第１の左突出部の下方に形成され縦ガイド部内に臨む第２の左突出部とが形成され、
前記右側板部には、前記縦ガイド部内に臨む第１の右突出部と、この第１の右突出部の下方に形成され縦ガイド部内に臨む第２の右突出部とが形成され、
上記第１の左突出部と第１の右突出部とが、前記係止部に係止されるよう構成されてなることを特徴とする請求項１，２又は３記載のコネクタボックスの支持装置。
【請求項５】
前記第１の左突出部と第１の右突出部とは一体とされてなるとともに、前記第２の左突出部と第２の右突出部とは一体とされてなることを特徴とする請求項４記載のコネクタボックスの支持装置。
【発明の詳細な説明】
【０００１】
【発明が属する技術分野】
本発明は、例えば、運動競技場に形成されたハンドホール内に配設されるコネクタボックスを支持するコネクタボックスの支持装置に関し、特に、該コネクタボックスを昇降自在としたコネクタボックスの支持装置に関するものである。
【０００２】
【従来の技術】
近年、運動競技場で競技が開催される場合には、その競技の結果を正確に測定するために各種の測定装置が使用される場合が多く、また、その測定装置により測定された結果を表示する表示装置が使用されている。こうした装置の殆どは電気機器であり、こうした電気機器に電源を供給し、また、各種のデータを送受信するケーブル等を接続するために、運動競技場には、多数のハンドホールと称される凹部が地面に形成され、このハンドホールには、コネクタボックスが設置されている。そして、このコネクタボックスは、従来、上記ハンドホールの壁面に取付部材を介して固定されていたために、使用者は、屈んでこのコネクタボックスに各種の電気機器のケーブルを接続しており、極めて操作性が悪い。そこで、従来、こうした操作性を向上する目的で、特開平１０−１２７９５５号公報に開示されたコネクタボックスの支持装置が提案されている。
【０００３】
この従来のコネクタボックスの支持装置は、コネクタボックスがハウジングに昇降自在に設けられてなるものであり、このハウジング内には、内部に高圧スプリングが配設されたスプリングケースが設けられている。上記高圧スプリングは、ワイヤによりコネクタボックスと接続され、高圧スプリングの付勢力と、コネクタボックスの重量との比は、１：１とされている。すなわち、この従来のコネクタボックスの支持装置は、上記高圧スプリングの弾性力により、作業者は、小さな力でハンドホール内に位置するコネクタボックスを上方に引き上げることができるように構成されている。
【０００４】
【発明が解決しようとする課題】
しかしながら、上述した従来のコネクタボックスの支持装置では、僅かな力で簡単にハンドホール内から上方に引き上げることができ、使い勝手が良い反面、構造が複雑化し、高コストとならざるを得ず、一箇所の競技場において多数のハンドホールが形成される実情からすれば、全体のコストは膨大なものとなり、また、構成要素とされる高圧スプリングが、上記ハンドホール内に溜まった水により劣化し、所期の機能が低下する可能性を否定できない。
【０００５】
そこで、本発明は、上述した従来のコネクタボックスが有する課題を解決するために提案されたものであって、極めて簡単な構成によりコネクタボックスを昇降することができ、低コスト化に大きく寄与することができるコネクタボックスの支持装置を提供することを目的とするものである。
【０００６】
【課題を解決するための手段】
本発明は上記の目的を達成するために提案されたものであって、第１の発明（請求項１記載の発明）は、地中に形成され上方は開放されてなるハンドホールの壁面に固定され、一方の左側板部及びこの一方の左側板部に面対向してなる一方の右側板部を有してなる固定部材と、この固定部材を構成する上記一方の左側板部と一方の右側板部との双方に形成され、該一方の左側板部と一方の右側板部との下端側から上端側に亘ってそれぞれ形成された縦ガイド部と、この縦ガイド部と連続し該縦ガイド部の上端から横方向に形成されてなる横ガイド部と、この横ガイド部に連続し該横ガイド部の短部からやや下方に形成されてなる係止部と、コネクタボックスが固定されるコネクタ支持部と、このコネクタ支持部から下方に形成されてなり上記一方の左側板部に面対向してなる他方の左側板部と、上記一方の右側板に面対向してなる他方の右側板部と、上記他方の左側板部から突出し上記縦ガイド部内に臨んでなる左突出部と、上記他方の右側板部から突出し上記縦ガイド部内に臨んでなる右突出部と、を有する昇降部材と、を備え、この昇降部材は、上記左突出部及び右突出部が、上記縦ガイド部にガイドされながら上昇し、上記横ガイド部を通過し上記係止部に係止されて支持されるよう構成されてなることを特徴とするものである。
【０００７】
上記第１の発明では、昇降部材は、固定部材に形成された縦ガイド部や横ガイド部にガイドされながら上下方向に昇降自在となされ、左突出部や右突出部は、上記縦ガイド部や横ガイド部に連続した係止部に係止されることにより、上昇した位置が保たれる。したがって、この第１の発明によれば、極めて簡単な構成により、ハンドホール内に位置するコネクタボックスを上昇させることができ、大きく低コスト化に寄与する。また、この発明は、従来のコネクタボックスの支持装置のように、高圧スプリングを構成要素としていないことから、ハンドホール内に溜まった水により劣化することが防止され、長期間使用することができる。
【０００８】
また、第２の発明（請求項２記載の発明）は、前記第１の発明において、前記一方の左側板部と一方の右側板部とにそれぞれ形成された縦ガイド部の上端側には、下端側から上端側にかけて除々に前記固定部材が固定された壁面から離間する方向に湾曲し又は傾斜してなる湾曲部が形成されてなることを特徴とするものである。
【０００９】
上記第２の発明では、縦ガイド部の上端側には、下端側から上端側にかけて除々に前記固定部材が固定された壁面から離間する方向に湾曲し又は傾斜してなる湾曲部が形成されてなることから、ハンドホール内に位置するコネクタボックスを上昇操作すると、昇降部材は、途中までは垂直方向にガイドされ、上記湾曲部に到ると、該湾曲部によりガイドされながら、昇降部材の上端側がややハンドホールの壁面から離間するように傾く。このとき、作業者は、昇降部材全体が傾斜した状態が本来の位置ではないことを自然に認識し、その後、上記左突出部や右突出部が縦ガイド部に連続した横ガイド部に到ると、この横ガイド部にガイドされ、それまで傾斜していた昇降部材は再び垂直方向に戻される。このとき、作業者は、上記昇降部材が本来の位置に復帰したことを認識し、その後、係止部に係止させることができる。したがって、この第２の発明によれば、昇降部材の操作方法を熟知していない作業者であっても、簡単に操作することができる。また、この第２の発明によれば、左突出部や右突出部と係止部との係止された状態が解除され、該左突出部や右突出部が横ガイド部材を通過した際に、誤って昇降部材又はコネクタボックスが作業者の手から離れてしまった場合であっても、上記湾曲部材により、瞬間的に該昇降部材が下降してしまうことがない。したがって、この第２の発明によれば、誤ってコネクタボックスに大きな振動を与えることも防止することができる。
【００１０】
また、第３の発明（請求項３記載の発明）は、前記第２の発明において、前記固定部材の正面には、左側が前記一方の左側板部に連続し右側が前記一方の右側板部に連続してなる正面側板部が形成され、この正面側板部の上端は、少なくとも、前記湾曲部の下端よりも下方に位置してなるとともに、前記昇降部材が最も上昇された状態における下端よりも上方に位置してなることを特徴とするものである。
【００１１】
上記第３の発明によれば、正面板が構成要素とされていることから、固定部材の機械的強度を増すことができるばかりではなく、該正面側板部の上端は、前記湾曲部の下端よりも下方に位置してなるとともに、前記昇降部材が最も上昇された状態における下端よりも上方に位置してなることから、上昇されたコネクタボックスが作業者や電気機器などと衝突した場合であっても、簡単に破損することを防止することができる。
【００１２】
また、第４の発明（請求項４記載の発明）は、前記第１，第２又は第３の発明において、前記他方の左側板部には、前記縦ガイド部内に臨む第１の左突出部と、この第１の左突出部の下方に形成され縦ガイド部内に臨む第２の左突出部とが形成され、前記右側板部には、前記縦ガイド部内に臨む第１の右突出部と、この第１の右突出部の下方に形成され縦ガイド部内に臨む第２の右突出部とが形成され、上記第１の左突出部と第１の右突出部とが、前記係止部に係止されるよう構成されてなることを特徴とするものである。
【００１３】
この第４の発明によれば、第１及び第２の左突出部と、第１及び第２の右突出部が、それぞれ縦ガイド部内に臨むことから、昇降部材を極めて安定した状態で昇降させることができる。
【００１４】
また、第５の発明（請求項５記載の発明）は、前記第４の発明において、前記第１の左突出部と第１の右突出部とは一体とされてなるとともに、前記第２の左突出部と第２の右突出部とは一体とされてなることを特徴とするものである。
【００１５】
この第５の発明では、第１の左突出部と第１の右突出部とは一体とされてなるとともに、前記第２の左突出部と第２の右突出部とは一体とされてなることから、昇降部材の昇降操作中におけるがたつきを防止し、さらに安定した状態で操作することができる。
【００１６】
【発明の実施の形態】
以下、本発明の一実施の形態に係るコネクタボックスの支持装置について、図面を参照しながら詳細に説明する。
【００１７】
この実施の形態に係るコネクタボックスの支持装置１は、図１に示すように、運動競技場に形成されたハンドホールＨ内に配設されてなるものである。このハンドホールＨは、コンクリートにより上方が開放された箱状に成形されてなるものであり、地中に埋設された埋設管Ｐ，Ｐと連通している。この埋設管Ｐ，Ｐは、他のハンドホールＨに連通してなるとともに、運動競技に使用される各種の図示しない計測装置を駆動する電源を供給し、または、これらの計測装置を制御し該計測装置により計測されたデータを送受信するケーブルＣが挿通されている。なお、上記電源を供給するケーブルＣの先端には、コンセントＣＯが固定されている。また、上述したハンドホールＨには、上記開口を閉塞する平板状の蓋体Ｆが載置されている。この蓋体Ｆは、図２に示すように、本実施の形態においては、４つの小開口Ｆ１，Ｆ２，Ｆ３，Ｆ４が形成され、これらの小開口Ｆ１，Ｆ２，Ｆ３，Ｆ４は、それぞれ小型蓋体Ｆ５，Ｆ６，Ｆ７，Ｆ８により閉塞されている。なお、これらの小型蓋体Ｆ５，Ｆ６，Ｆ７，Ｆ８には、それぞれ作業者の指が挿入できる大きさの長孔Ｆ９，Ｆ１０，Ｆ１１，Ｆ１２が穿設されており、これらのＦ９，Ｆ１０，Ｆ１１，Ｆ１２内に指を挿入することにより該開口Ｆ１，Ｆ２，Ｆ３，Ｆ４を開放できるようにされている。そして、上記コネクタボックスの支持装置１は、上記小型蓋体Ｆ５，Ｆ６，Ｆ７，Ｆ８の下方にそれぞれ設置されている。
【００１８】
そして、上記各コネクタボックスの支持装置１は、上記ハンドホールＨを形成する壁面Ｗに固定されている固定部材２と、この固定部材２に支持され上面にコネクタボックスＣＢが固定されているとともに、上下方向に昇降自在とされた昇降部材３とから構成されている。上記固定部材２は、図３又は図５に示すように、上下方向に長さを有し長方形状に成形された一方の左側板部４と、この一方の左側板部４と同一の形状に成形されてなるとともに該一方の左側板部４に平行に面対向してなる一方の右側板部５と、左端が上記一方の左側板部４と連続し、右端は上記一方の右側板部５に連続してなる一方の正面板部６と、この一方の正面板部６と平行となされ該一方の正面板部６と面対向してなる下方背面板部７と、この下方背面板部７の上方に形成されてなる上方背面板部８とを備えている。上記一方の正面板部６は、図３に示すように、下端が、上記一方の左側板部４や一方の右側板部５の下端と同じ位置に形成され、上端は、該一方の左側板部４や一方の右側板部５の上端よりも下方であって、後述する湾曲部の下端よりもさらに下方に形成されている。また、上記下方背面板部７は、図５に示すように、下端は上記一方の左側板部４や一方の右側板部５の下端と同じ位置に形成され、上端は、上記一方の正面板部６の上端よりもさらに下方に形成されている。また、上記上方背面板部８は、上端は、上記一方の左側板部４や一方の右側板部５の上端と同じ位置に形成され、下端は、上記一方の正面板部６の上端よりも上方に形成されている。すなわち、この実施の形態に係るコネクタボックスの支持装置１を構成する固定部材２は、上記一方の左側板部４と一方の右側板部５との上端側の正面は開放され、反対に、背面側においては、中途部が開放されている。
【００１９】
そして、上記下方背面板部７の背面には、第１の固定部９が固定され、上記上方背面板部８の背面には、第２の固定部１０が固定されている。これら第１及び第２の固定部９，１０は、それぞれ上記下方背面板部７又は上方背面板部８の背面から水平に突出するように基端が溶接されている水平板部９ａ，１０ａと、この水平板部９ａ，１０ａの先端から垂下してなり、図４に示すように、上記一方の正面板部６や下方背面板部７並びに上方背面板部８の幅よりも長尺な幅を有する固定板部９ｂ，１０ｂとから構成されている。なお、これら第１及び第２の固定部９，１０を構成する固定板部９ｂ，１０ｂは、上記ハンドホールＨを形成する図示しない壁面に図示しないボルト又はネジにより固定される部位であり、該固定板部９ｂ，１０ｂの左右両側には、図５に示すように、上記ボルト又はネジが挿通される挿通孔９ｃ，１０ｃが穿設されている。
【００２０】
また、上記一方の左側板部４（及び一方の右側板部５）には、図３に示すように、縦ガイド部１１と、この縦ガイド部１１の上端と連続してなり水平方向に形成された横ガイド部１２と、この横ガイド部１２に連続してなり、後述する第１の突出部の左端側（一方の右側板部５においては、右端側）が係止される係止部１３とが形成されている。これら縦ガイド部１１，横ガイド部１２及び係止部１３は、本実施の形態においては、それぞれ連続してなる長孔である。そして、上記縦ガイド部１１は、下端が上記一方の左側板部４（や一方の右側板部５）の下端よりもやや上方に位置し、上記正面側板６の上端の位置よりもやや上方までは垂直に形成され、この正面側板６の上端の位置よりもやや上方から上記一方の左側板部４（や一方の右側板部５）の上端よりもやや下方の位置までには、除々に正面側（ハンドホールの壁面から除々に離間する側）に湾曲してなる湾曲部１１ａが形成されている。また、上記横ガイド部１２は、上記縦ガイド部１１を構成する湾曲部１１ａの上端に連続してなり、該湾曲部１１ａの上端から上方背面板部８方向に向かって僅かな長さを有するものであり、この横ガイド部１２の背面側端部から僅かに下方にかけて上記係止部１３が形成されている。したがって、本実施の形態においては、上記連続した縦ガイド部１１，横ガイド部１２及び係止部１３の全体形状は、ほぼ数字の「７」と同様の形状とされている。
【００２１】
また、上記昇降部材３は、上記固定部材２を構成する一方の左側板部４の内側に位置し、該一方の左側板部４の長さよりもやや短い長さとなされた他方の左側板部１５と、上記一方の右側板部５の内側に位置し、上記他方の左側板部１５と同一の形状に成形された他方の右側板部１６と、一側は上記他方の左側板部１５に連続し、他側は上記他方の右側板部１６に連続してなり、上記一方の正面板部６の内側に位置してなる他方の正面板部１７とを備えている。上記他方の左側板部１５も他方の右側板部１６も共に長方形状に成形され、また、上記他方の正面板部１７も長方形状に成形されてなるとともに、該他方の左側板部１５や他方の右側板部１６と同じ長さとされている。そして、上記他方の左側板部１５と他方の右側板部１６と他方の正面板部１７の上端には、図５に示すように、ボックス固定板１８が溶接され、このボックス固定板１８の上面には、コネクタボックスＣＢが固定されている。このコネクタボックスＣＢは、正面にキャップＣＰにより保護され、図示しない測定装置や表示装置などの電気機器に設けられたコネクタに接続される図示しないコネクタが設けられており、また、上面には、このコネクタボックスＣＢを、昇降部材３とともに昇降操作する際に作業者が把持する把手Ｔが設けられている。また、このコネクタブックスＣＢの下面には、図１に示すように、前記コンセントＣＯに接続されるソケットＳが先端に固定されたコネクタ側ケーブルＣＣが設けられ、このコネクタ側ケーブルＣＣは、上記ボックス固定板１８に穿設された図示しない透孔に挿通され、このコネクタボックスの支持装置１の内側を通って下方に延在されている。
【００２２】
また、この昇降部材３には、図５に示すように、第１の軸体２０と、第２の軸体２１が固定されている。これら第１及び第２の軸体２０，２１は、それぞれ本発明を構成する突出部であり、これら第１及び第２の軸体２０，２１の左端側は、上記固定部材２を構成する一方の左側板部４に形成された縦ガイド部１１に挿通され左端部には、抜け止め用の円盤部２０ａ，２１ａが形成され、該第１及び第２の軸体２０，２１の右端側は、上記固定部材２を構成する一方の右側板部５に形成された図示しない縦ガイド部に挿通され右端部には、抜け止め用の円盤部２０ｂ，２１ｂが形成されている。なお、上記第１の軸体２０は、上記昇降部材３の下端よりもやや上方に固定され、上記第２の軸対２１は、この第１の軸体２０のやや上方に固定されている。
【００２３】
以下、上述した構成に係るコネクタボックスの支持装置１の使用方法乃至は動作について簡単に説明する。先ず、図３に示すように、ハンドホールＨ内にコネクタボックスＣＢが収まった状態にから、該コネクタボックスＣＢを地上に引き上げる場合には、該特定のコネクタボックスＣＢの上方に位置している特定の小型蓋体Ｆ５（Ｆ６，Ｆ７，Ｆ８）に形成された長孔Ｆ９（Ｆ１０，Ｆ１１，Ｆ１２）内に指を挿入し、該特定の小型蓋体Ｆ５（Ｆ６，Ｆ７，Ｆ８）を取り除く。次いで、上記コネクタボックスＣＢの上面に形成された把手Ｔを把持し、そのまま上方へ引き上げる。すると、このコネクタボックスＣＢが固定された昇降部材３は、上記一方の左側板部４と一方の右側板部５にそれぞれ形成された各縦ガイド部１１にガイドされながら、除々に上方に引き出され、上記第２の軸体２１が、上記湾曲部１１ａに到ると、この湾曲部１１ａにガイドされながら、上記昇降部材３は、図６に示すように、上端側がやや手前に傾斜させられる。なお、このように昇降部材３が傾斜した場合、前述したように、固定部材２を構成する上記正面板部６の上端は開放され、また、反対側の下方背面板部７と上方背面板部８との間は開放されているので、該昇降部材３の上端側正面や下端側背面が、固定部材２に当接することがない。なお、このように昇降部材３が傾斜させられると、こうした操作をする作業者は、こうした傾斜した状態がコネクタボックスＣＢの本来の姿勢ではないことを認識する。
【００２４】
そして、作業者によりさらに昇降部材３が上昇操作されると、やがて上記第２の軸体２１の両端側は、上記横ガイド部１２にガイドされ、それまで傾斜されられていた昇降部材３は、図７に示すように、再び垂直方向に姿勢が戻される。このとき、この昇降部材３を操作していた作業者は、本来の姿勢に戻されたことを認識する。なお、このように、昇降部材３が垂直となるように姿勢がもどされた位置には、上記係止部１３が形成されていることから、そのまま僅かにコネクタボックスＣＢの把手Ｔを放せば、上記第２の軸体２１の両端は、上記係止部１３に係止される。
【００２５】
したがって、上述したコネクタボックスの支持装置１によれば、ハンドホールＨ内に収められていたコネクタボックスＣＢを上昇させその位置を保持させることができるので、各種の測定装置等の電気機器とコネクタボックスＣＢとを容易に接続することができる。特に、このコネクタボックスの支持装置１では、固定部材２と昇降部材３とから構成されるものであり、従来のコネクタボックスの支持装置のように、高圧スプリングを構成要素としないことから、安価に製造することができるとともに、耐久性も向上し長期間に亘って使用することができる。さらに、この実施の形態に係るコネクタボックスの支持装置１によれば、昇降部材３の昇降動作をガイドする縦ガイド部１１の上端側には、湾曲部１１ａが形成されていることから、このコネクタボックスの支持装置１の構造を熟知していない作業者であっても、簡単且つ確実にコネクタボックスＣＢを操作することができる。
【００２６】
なお、上記実施の形態に係るコネクタボックスの支持装置１では、上記湾曲部１１ａを構成要素としたが、本発明（請求項１記載の発明）は、必ずしも、この湾曲部１１ａを構成要素とする必要はなく、縦ガイド部１１は、垂直方向に形成し、この縦ガイド部１１に連続して横ガイド部１２を形成しても良い。
【００２７】
【発明の効果】
前述した本発明の第１の実施の形態の説明からも明らかなように、本発明（請求項１記載の発明）では、昇降部材は、固定部材に形成された縦ガイド部や横ガイド部にガイドされながら上下方向に昇降自在となされ、左突出部や右突出部は、上記縦ガイド部や横ガイド部に連続した係止部に係止されることにより、上昇した位置が保たれる。したがって、この第１の発明によれば、極めて簡単な構成により、ハンドホール内に位置するコネクタボックスを上昇させることができ、大きく低コスト化に寄与する。また、この発明は、従来のコネクタボックスの支持装置のように、高圧スプリングを構成要素としていないことから、ハンドホール内に溜まった水により劣化することが防止され、長期間に亘って使用することができる。
【００２８】
また、第２の発明（請求項２記載の発明）では、では、縦ガイド部の上端側には、下端側から上端側にかけて除々に前記固定部材が固定された壁面から離間する方向に湾曲し又は傾斜してなる湾曲部が形成されてなることから、ハンドホール内に位置するコネクタボックスを上昇操作すると、昇降部材は、途中までは垂直方向にガイドされ、上記湾曲部に到ると、該湾曲部によりガイドされながら、昇降部材の上端側がややハンドホールの壁面から離間するように傾く。このとき、作業者は、昇降部材全体が傾斜した状態が本来の位置ではないことを自然に認識し、その後、上記左突出部や右突出部が縦ガイド部に連続した横ガイド部に到ると、この横ガイド部にガイドされ、それまで傾斜していた昇降部材は再び垂直方向に戻される。このとき、作業者は、上記昇降部材が本来の位置に復帰したことを認識し、その後、係止部に係止させることができる。したがって、この第２の発明によれば、昇降部材の操作方法を熟知していない作業者であっても、簡単に操作することができる。また、この第２の発明によれば、左突出部や右突出部と係止部との係止された状態が解除され、該左突出部や右突出部が横ガイド部材を通過した際に、誤って昇降部材又はコネクタボックスが作業者の手から離れてしまった場合であっても、上記湾曲部材により、瞬間的に該昇降部材が下降してしまうことがない。したがって、この第２の発明によれば、誤ってコネクタボックスに大きな振動を与えることも防止することができる。
【００２９】
また、第３の発明（請求項３記載の発明）によれば、正面板が構成要素とされていることから、固定部材の機械的強度を増すことができるばかりではなく、該正面側板部の上端は、前記湾曲部の下端よりも下方に位置してなるとともに、前記昇降部材が最も上昇された状態における下端よりも上方に位置してなることから、上昇されたコネクタボックスが作業者や電気機器などと衝突した場合であっても、簡単に破損することを防止することができる。
【００３０】
また、第４の発明（請求項４記載の発明）によれば、第１及び第２の左突出部と、第１及び第２の右突出部が、それぞれ縦ガイド部内に臨むことから、昇降部材を極めて安定した状態で昇降させることができる。
【００３１】
また、第５の発明（請求項５記載の発明）では、第１の左突出部と第１の右突出部とは一体とされてなるとともに、前記第２の左突出部と第２の右突出部とは一体とされてなることから、昇降部材の昇降操作中におけるがたつきを防止し、さらに安定した状態で操作することができる。
【図面の簡単な説明】
【図１】本発明の第１の実施の形態に係るコネクタボックスの支持装置がハンドホールに設置されている状態を示す側面図である。
【図２】ハンドホールの蓋体を示す平面図である。
【図３】コネクタボックスの支持装置を構成する昇降部材が下降した状態を示す斜視図である。
【図４】図３に示す状態から昇降部材が上昇させられ湾曲部にガイドされてやや傾斜した状態を示す斜視図である。
【図５】コネクタボックスが固定されたコネクタボックスの支持装置の平面図である。
【図６】図３に示す状態から昇降部材が上昇させられ湾曲部にガイドされてやや傾斜した状態を示す斜視図である。
【図７】図４に示す状態から昇降部材が上昇位置で支持された状態を示す斜視図である。
【符号の説明】
１　　コネクタボックスの装置
２　　固定部材
３　　昇降部材
４　　一方の左側板部
５　　他方の右側板部
１１　　縦ガイド部
１１ａ　　湾曲部
１２　　横ガイド部
１３　　係止部
１５　　他方の左側板部
１６　　他方の右側板部
１８　　ボックス固定板
２０　　第１の軸体
２１　　第２の軸体
Ｈ　　ハンドホール
ＣＢ　　コネクタボックス
【図１】
2004024660.tif 000003
【図２】
2004024660.tif 000004
【図３】
2004024660.tif 000005
【図４】
2004024660.tif 000006
【図５】
2004024660.tif 000007
【図６】
2004024660.tif 000008
【図７】
2004024660.tif 000009